(57)【要約】  第一の入力部材（６）及び第二の入力部材（７）が、第一の軸（４）に沿って配置され、そして、第一の軸に沿った第一の入力部材の運動が、本体（１）に対して第二の入力部材の回転運動に転換されるように連結される。第一の出力部材（８）及び第二の出力部材（９）が、第二の軸（５）に沿って配置され、そして、第一の出力部材の回転運動が、本体に対して第二の軸に沿って第二の出力部材の運動に転換されるように連結される。第二の入力部材及び第一の出力部材は、解放可能なように回転連結される。【選択図】図１
2013506447.tif 000002
【特許請求の範囲】
【請求項１】
−  第一の軸（４）の方向に間隔をおいて配置された、遠位端（２）及び近位端（３）を有する本体（１）、
−  本体の中に配置され、そして、第一の軸の周りで本体に相対的に回転可能である第一の出力部材（８）、
−  本体の中に第一の軸に沿って配置され、そして、第一の軸に沿って本体に相対的に可動の第二の出力部材（９）、
−  回転連結されている、第一の出力部材（８）及び第二の出力部材（９）、
−  第一の出力部材の回転を生じるように備えられている駆動機構（６，７）及び、
−  本体から取り除き可能で且つ取り付け可能である取り除き可能で且つ取り付け可能な部分（１０）、第一の出力部材は、該部分が本体に取り付けられているとき、該駆動機構と一方向に回転連結されていて、第一の出力部材が一方向に回転可能である、
を含んでなる、薬物送達デバイス用の駆動機構。
【請求項２】
第一の出力部材（８）が出力スリーブであり、第二の出力部材（９）が出力シャフトである、請求項１に記載の駆動機構。
【請求項３】
弾性のあるエレメント（１４）、
該部分が本体（１）に取り付けられているとき、弾性のあるエレメントを抑制する取り除き可能で且つ取り付け可能な部分（１０）、
取り除き可能で且つ取り付け可能な部分が本体から取り除かれているとき、一方向の回転連結を取り除き、第一の出力部材（８）が反対方向に回転可能である弾性のあるエレメントを更に含んでなる、請求項１又は２に記載の駆動機構。
【請求項４】
取り除き可能で且つ取り付け可能な部分（１０）が本体（１）の遠位端（２）に備えられたカートリッジホルダーである、請求項１〜３の何れか１項に記載の駆動機構。
【請求項５】
第一の出力部材（８）及び駆動機構（６，７）が、回転連結されるピニオン部材（１１）を更に含んでなる、請求項１〜４の何れか１項に記載の駆動機構。
【請求項６】
取り除き可能で且つ取り付け可能な部分（１０）が本体（１）に取り付けられているとき、一方向のみに第一の出力部材（８）の回転を可能にし、そして、取り除き可能で且つ取り付け可能な部分が本体から取り除かれているとき、第一の出力部材の回転を可能にする歯止め部材（１３）を更に含んでなる、請求項５に記載の駆動機構。
【請求項７】
ノッチ（１５）を有するピニオン部材（１１）、
ヒンジ舌、又は、弾力のある若しくは弾力のあるように取り付けられたカンチレバーである歯止め（１２）、
ノッチを係合し、一方向へのピニオン部材の回転を防ぐ、先端又は端部（１６）を有する歯止め部材、そして、
歯止め部材が、取り除き可能で且つ取り付け可能な部分（１０）が本体（１）から取り除かれるとき、ノッチから恒久的に係合を解かれる、
を更に含んでなる、請求項５又は６に記載の駆動機構。
【請求項８】
−  第二の軸（５）に沿った軸（４）に平行な本体（１）内に配置された第一の入力部材（６）、第一の入力部材は第二の軸に沿って本体に相対的に可動であり、
−  本体内に配置された第二の入力部材（７）、第二の入力部材は本体に相対的に第二の軸の周りで回転可能であり、
−  第一の入力部材（６）及び第二の入力部材（７）はねじ山（２９）によって連結されている、
−  荷重が遠位方向（２０）で第二の入力部材をかかるとき、ピニオン部材（１１）で第二の入力部材を回転ロックし、そして荷重が遠位方向で第二の入力部材をかからないとき、ピニオン部材（１１）で第二の入力部材を回転ロックしないクラッチ（１３）
を更に含んでなる、請求項５〜７の何れか１項に記載の駆動機構。
【請求項９】
遠位方向（２０）への第一の入力部材（６）のシフトにより、第二の入力部材（７）の回転が生じ、
第二の入力部材の回転により、第一の出力部材（８）の回転が生じ、及び
第一の出力部材の回転が遠位方向（２０）への第二の出力部材（９）のシフトを生じる、
請求項８に記載の駆動機構。
【請求項１０】
設定操作が、第一の入力部材（６）を近位方向（３０）にシフトさせることによって行われ、一方第二の入力部材（７）がピニオン部材（１１）でロックされていない、請求項８又は９に記載の駆動機構。
【請求項１１】
再設定操作が、取り除き可能で且つ取り付け可能な部分（１０）が本体（１）から取り除かれた後に、第二の出力部材（９）を近位方向にシフトさせることによって行われる、請求項８〜１０の何れか１項に記載の駆動機構。
【請求項１２】
−  本体（１）の中に配置された、第二の軸（５）に沿って本体に相対的に可動である最後の用量のナット（２１）、
−  第二のねじ山（２２）によって第二の入力部材（７）に連結されていて、そして第一の出力部材（８）と回転連結されている最後の用量のナット、
−  第一の入力部材（６）が近位方向にシフトされるとき、第二の入力部材がピニオン部材（１１）でロックされてなく、それで第一の出力部材にロックされてなく、これにより第二のねじ山により遠位又は近位方向への最後の用量のナットの可動を生じるので、最後の用量のナットと相対的に回転する第二の入力部材、及び
−  最後の用量のナットの運動を、遠位又は近位の方向に制限する第二の入力部材の停止エレメント（２４）
を更に含んでなる、請求項８〜１１の何れか１項に記載の駆動機構。
【請求項１３】
再設定操作が、第二の出力部材（９）を近位方向（３０）にシフトさせることによって行われ、第一の出力部材（８）が第二の出力部材の回転連結に従って回転し、
第一の出力部材の回転が最後の用量のナット（２１）の回転を生じ、及び
第二の入力部材（７）と相対的な最後の用量のナットの回転が遠位又は近位方向への最後の用量のナットの可動を生じる、請求項１２に記載の駆動機構。
【請求項１４】
第一の出力部材（８）及び第二の出力部材（９）が、ねじ山（２８）によって連結され、
出力部材を連結するねじ山（２８）及び第二のねじ山（２２）が、ピッチを備え、これらピッチは、最後の用量のナット（２１）と第一の出力部材（８）との回転連結に、再設定操作中に最後の用量のナットの可動を、第二の入力部材の停止エレメント（２４）から一定の距離を有する出発位置に生じるような方法で、適合されている、請求項１３に記載の駆動機構。
【請求項１５】
軸（４）に沿って第二の出力部材（９）のシフトを可能とし、第二の出力部材（９）を本体（１）に回転ロックする本体（１）の溝及び軌道（２５）
を更に含んでなる、請求項１〜１４の何れか１項に記載の駆動機構。
【発明の詳細な説明】
【技術分野】
【０００１】
本発明は、薬物送達デバイス用の駆動機構に関する。
【背景技術】
【０００２】
携帯用薬物送達デバイスは、患者による自己投与に適している薬物の投与のために使われている。薬物送達デバイスは、たやすく操作でき、どこででも利用できる、ペンの形状で特に有用である。
【０００３】
薬物送達デバイスのタイプは、何回も再充填可能で且つ再使用可能に構成されている。薬物は、用量又は送達される量を設定するようにも働く、駆動機構によって送達される。
【０００４】
特許文献１には、複数の異なった規定の用量を送達するのを可能にする、駆動機構を有する注射ペンの形状の薬物送達デバイスが記述されている。駆動機構は、共通の軸の周りに、互いに相対的に回転するエレメントを含む。
【先行技術文献】
【特許文献】
【０００５】
【特許文献１】ＤＥ  １０２  ３７  ２５８  Ｂ４
【発明の概要】
【発明が解決しようとする課題】
【０００６】
本発明の目的は、薬物送達デバイス用の新しい駆動機構の、又は新しい薬物送達デバイスの提供を容易にすることである。
【課題を解決するための手段】
【０００７】
この目的は、請求項１に記載の駆動機構によって達成される。更なる目的は、従属請求項に記載の変形例及び実施態様によって達成される。
【０００８】
薬物送達デバイス用の駆動機構は、軸の方向に間隔をおいて配置された、遠位端及び近位端を有する本体を含む。第一の出力部材は、本体の中に配置され、その第一の出力部材は、本体に相対的に軸の周りで回転している。第二の出力部材は、軸に沿った本体の中に配置され、その第二の出力部材は、軸に沿って本体に相対的に可動である。第一の出力部材及び第二の出力部材は、回転連結される。入力部材を含み得る、駆動機構は。第一の出力部材の回転を生み出すように供される。本体から取り除き可能で且つ取り付け可能な部分は、その部分が本体に取り付けられたとき、第一の部材が駆動機構と一方向に回転連結されるように供される。
【０００９】
本明細書で使用する用語「薬物」又は「薬剤」は、少なくとも１つの薬学的に活性な化合物を含む医薬製剤を意味し、
ここで一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は、予防のための、少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００１０】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００１１】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００１２】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００１３】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−  ３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と連結してもよく；
【００１４】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００１５】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００１６】
多糖類としては、例えば、ヒアルロン酸、ヘパリン、低分子量ヘパリン、又は超低分子量ヘパリン、若しくはその誘導体などのグルコアミノグリカン、又はスルホン化された、例えば、上記多糖類のポリスルホン化形体、及び／又は、薬学的に許容可能なその塩がある。ポリスルホン化低分子量ヘパリンの薬学的に許容可能な塩の例としては、エノキサパリンナトリウム塩がある。
【００１７】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１−Ｃ６アルキル基；場合により置換されるＣ２−Ｃ６アルケニル基；場合により置換されるＣ６−Ｃ１０アリール基、又は場合により置換されるＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００１８】
薬学的に許容可能な溶媒和物としては、例えば、水和物がある。
【００１９】
本体は、例えばハウジングの部分を形成する如何なるハウジング又は如何なるコンポーネント（component）であってよい。本体はまた、外部ハウジングと連結したある種のインサート（insert）であってよい。本体は、デバイスの安全な、正しい、及び／又は容易なハンドリングを可能にし、及び／又はデバイスを有害な液体、ちり、若しくは、ごみから防ぐように設計される。本体は、チューブ状の又は非チューブ状の形状の単一の又はマルチ部分のコンポーネントであってよい。
【００２０】
本体は、そこから薬物の用量が投与できる、カートリッジを収容し得る。本体は、特に注射ペンの形状を有することができる。
【００２１】
用語「遠位端」は、そこから薬物の用量が投与される薬物送達デバイスの部分に配置されるように意図される、本体又はハウジングの部分に関する。用語「近位端」は、遠位端から離れている、本体又はハウジングの部分に関する。用語「遠位方向」は、その運動が遠位端を越えて行き得るように、出発点や終点を規定しないで、近位から遠位端に向かっての運動と同じ方向への運動に関する。用語「近位方向」は、遠位方向と反対の方向への運動に関する
【００２２】
駆動機構は、薬物送達デバイスの本体に挿入されたレセプタクル又はカートリッジから薬物を排出するのに使用できる。薬物送達デバイスは、例えば、インスリン、成長ホルモン、ヘパリン、又はそれらの類似体及び／又は誘導体であり得る、薬物、特に液体の用量を投与するように設計された、使い捨て可能な又は再使用可能なデバイスであってよい。薬物は、針によって投与されてもよいし、又はデバイスは、針無しでもよい。デバイスはさらに、例えば、血糖値のような生理学的特性をモニターするように設計され得る。第二の出力部材が本体に対して遠位方向にシフトするたびに、薬物の用量が、薬物送達デバイスから排出される。
【００２３】
駆動機構の実施態様において、第一の入力部材は出力スリーブであり、そして第二の出力部材は出力軸である。
【００２４】
更なる実施態様において、部分が本体に取り付けられるとき、取り除き可能で且つ取り付け可能な部分によって抑制される、弾性のあるエレメントが供される。第一の入力部材が反対方向に回転可能であるように、取り除き可能で且つ取り付け可能な部分が本体から取り除かれるとき、弾性のあるエレメントは一方向の回転連結を取り除く。
【００２５】
更なる実施態様において、取り除き可能で且つ取り付け可能な部分は、本体の遠位端に供されたカートリッジホルダである。
【００２６】
更なる実施態様において、ピニオン部材は、第一の出力部材と駆動機構を回転連結する。
【００２７】
更なる実施態様において、歯止め部材（pawl member）は、取り除き可能で且つ取り付け可能な部分が本体に取り付けられるとき、第一の出力部材の回転を１つの方向にのみ可能にする、そして、取り除き可能で且つ取り付け可能な部分が本体から取り除かれるとき、第一の出力部材の回転を反対方向に可能にする、
【００２８】
更なる実施態様において、ピニオン部材はノッチを有し、そして歯止め部材は、ヒンジ舌、又は弾性のある若しくは弾性的に取り付けられたカンチレバーである。歯止め部材は、ノッチと係合する先端又は端部を有し、従ってピニオン部材の１つの方向への回転を防ぐ。取り除き可能で且つ取り付け可能な部分が本体から取り除かれるとき、歯止め部材は、ノッチから恒久的に係合を解かれる。
【００２９】
更なる実施態様において、第一の入力部材は、更なる軸に沿って、軸に平行な本体の中に配置され、その第一の入力部材は、更なる軸に沿って、本体に相対的に可動である。第二の入力部材は本体の中に配置され、その第二の入力部材は、本体に相対的に、更なる軸の周りに回転可能である。第一の入力部材と第二の入力部材は、ねじ山によって連結される。遠位方向に、負荷が第二の入力部材にかけられるときは、クラッチは、第二の入力部材をピニオン部材と回転ロックし、そして、遠位方向に、負荷が第二の入力部材にかけられないときは、クラッチは、第二の入力部材をピニオン部材とロックしない。
【００３０】
更なる実施態様において、第一の入力部材の遠位方向へのシフトは、第二の出力部材の回転を引き起こす。第二の入力部材の回転は、第一の出力部材の回転を引き起こす。第一の出力部材の回転は、第二の出力部材の遠位方向へのシフトを引き起こす。
【００３１】
更なる実施態様において、設定操作は、第一の入力部材を近位方向にシフトすることによって行われる。一方、第二の入力部材は、ピニオン部材とロックされない。
【００３２】
更なる実施態様において、再設定操作は、取り除き可能で且つ取り付け可能な部分が本体から取り除かれた後で、第二の出力部材を近位方向にシフトすることによって行われる。
【００３３】
更なる実施態様において、最後の用量のナット（last-dose nut）は、本体の中に配置され、その最後の用量のナットは、更なる軸に沿って本体に相対的に可動である。最後の用量のナットは、更なるねじ山によって第二の入力部材と連結され、そして第一の出力部材と回転連結される。第一の入力部材が近位方向にシフトされるとき、第二の入力部材は、最後の用量のナットに相対的に回転する。これは、第二の入力部材がピニオン部材とロックされていなくて、従って第一の出力部材とロックされていないと言う事実による、そして、最後の用量のナットの遠位又は近への運動は、更なるねじ山によって引き起こされる。本体、第一の出力部材又は第二の入力部材は、最後の用量のナットの運動を遠位又は近位方向に制限する停止エレメントを備えている。停止エレメントは、例えば、第二の入力部材の突起部分であってもよい。
【００３４】
更なる実施態様において、再設定操作は、第二の出力部材を近位方向にシフトすることによって行われ、第一の出力部材は、第二の出力部材への回転連結に従って回転する。第一の出力部材の回転は、最後の用量のナットの回転を引き起こす。第二の出力部材に相対的な最後の用量のナットの回転は、最後の用量のナットの遠位又は近位方向への運動を引き起こす。
【００３５】
更なる実施態様において、第一の入力部材と第二の出力部材は、ねじ山によって連結される。このねじ山と更なるねじ山は、再設定の間、最後の用量のナットの出発位置への運動を生み出すような方法で、最後の用量のナットの第一の出力部材との回転連結に適合されるピッチを備えている。出発位置は、第二の入力部材の突起している部分からある距離を置いている。
【００３６】
更なる実施態様において、本体の溝又は軌道は、軸に沿って第二の出力部材のシフトを可能にしながら、本体に相対的に第二の出力部材をロックする。
【００３７】
駆動機構及びその操作の実施態様は、例として下記に記述される。駆動機構の第一の出力部材は、出力スリーブによって形成され、そして第二の出力部材は出力軸によって形成される。第一の出力部材は、入力駆動機構（input drive feature）によって回転される。駆動機構は、入力軸によって形成された第一の入力部材、及び入力スリーブによって形成された第二の入力部材を含む。入力部材は、第一の軸に沿って配置され、そして出力部材は、第二の軸に沿って、第一の軸に平行に配置される。入力部材と出力部材は、出力部材の一方向の回転を可能にする、一種のギヤによって連結される。これは、ラチェットの方法で機能するピニオン部材と歯止め部材の配置によって達成できる。歯止めは、出力部材が双方向に自由に回転するように、ピニオンから解放できる。第一の入力部材と第二の入力部材を連結するクラッチは、使用者が出力部材を回転することなく用量を設定して、そして、クラッチが係合され、出力部材が第二の入力部材と同時に回転する間、薬物の用量を送達（deliver）ことができるように供される。ギヤ配置は、第二の入力部材と第一の出力部材を、異なった速度で回転可能にする。
【００３８】
以下に、駆動機構の例と実施態様が、添付図と併せて詳細に記述される。
【図面の簡単な説明】
【００３９】
【図１】駆動機構の実施態様を含んでなる注射ペンの透視切断図（cut-away view）を示す。
【図２】出発位置における駆動機構の断面を示す。
【図３】設定操作後の図２に記載の断面を示す。
【図４】投与操作後の図３に記載の断面を示す。
【図５】最後の用量の送達後の図４に記載の断面を示す。
【図６】ピニオン部材と歯止め部材の配置の詳細を示す。
【図７】歯止め部材が係合を解かれた状態での、ピニオン部材の配置の別の図を示す。
【図８】図７に記載の図を示す。
【００４０】
図１は、入力及び出力部材を有する駆動機構を含む注射ペンの断面を示す。本体１は、遠位端２と近位端３を有す。駆動機構の入力部材は、第一の軸４に沿って配置される。駆動機構の出力部材は、第一の軸４に平行な、第二の軸５に沿って配置される。第一の入力部材６は、この実施態様では軸によって形成される。第一の入力部材６は、この実施態様では出力スリーブである、第二の入力部材７と連結する。第一の入力部材６と第二の入力部材７は、駆動機構の入力駆動機構を形成する。第一の入力部材６と第二の入力部材７の連結は、ねじ山２９によって達成できる第一の入力部材６は、使用者による操作のために供され、その近位端３で、本体１から突き出る。そこで、第一の入力部材６は好ましくは、第一の入力部材６を近位方向３０に本体から引っ張るように使うことができる、グリップ２６が備わっている。第一の入力部材６を第二の入力部材７と連結するねじ山は、入力スリーブによって形成された第二の入力部材７を、第一の入力部材６に対して第二の軸５の周りに従って本体１に相対的に回転させる。第二の入力部材７の遠位方向又は近方向への軸方向への運動は、突起しているエレメント、ウェブなどのような、駆動機構又は本体１の適当なコンポーネントによって防止される。従って、第二の入力部材７は、その位置に留まり、そして第二の軸５の周りで単に回転する。
【００４１】
第二の入力部材７は、ラチェットのような一方向のギヤによって第一の出力部材８と連結する。ギヤは、ピニオン部材１１と歯止め部材１２を含む。歯止め部材１２は、例えば、ヒンジ舌、又はピニオン部材１１の歯周囲（toothed circumference）中のノッチを係合するフック又は端部を有する一種のカンチレバーであってよい。ピニオン部材１１が第二の入力部材７と同時に回転するのを防ぐために、ピニオン部材１１が、第二の入力部材７から解放できるように、ピニオン部材１１は、クラッチ１３によって第二の入力部材７と連結する。第一の入力部材６が遠位方向２０に押されない限り、クラッチスプリング２７は、クラッチ１３の係合を解くように供することができる。従って、第一の入力部材６が近位方向３０にシフトされるとき、ピニオン部材１１は、第二の入力部材７と一緒に回転しない。第一の入力部材６が遠位方向２０に押され、クラッチスプリング２７が圧縮されるときのみ、クラッチ１３が係合し、そしてピニオン部材１１は、第二の入力部材７の回転に従って回転する。次いで、ピニオン部材１１が、第一の出力部材８の一体部分を形成する歯車によって又は同様のデバイスによって、ピニオン部材１１に連結できる、第一の出力部材８を駆動する。歯止め部材１２は、ピニオン部材１１の回転を一つの回転方向にのみ可能にし、従って、第一の出力部材８の回転は、ピニオン部材１１と第一の出力部材８の間の連結に従って、対応する回転方向に制約される。
【００４２】
第二の出力部材９は、第一の出力部材８と連結する。連結は、例えば、更なるねじ山２８によって達成できる。第一の出力部材８は、出力スリーブであってよく、そして第二の出力部材９は、出力軸であってよい。第一の出力部材８と第二の出力部材９の間の連結は、歯止め部材１２によって可能にされた第一の出力部材８の回転が、第二の出力部材９を遠位方向２０に駆動するようなものである。第二の出力部材９は、ピストン１９を遠位方向２０に駆動するピストンロッド又はプランジャとして使用できる。ピストン１９は、本体１の遠位端２で、専用のコンパートメント１７に挿入される、レセプタクル、特にカートリッジ１８から薬物を排出するように供される。もし本体１が、その遠位端２で、取り除き可能で且つ取り付け可能な部分１０を備えている場合は、カートリッジ１８は、新しいものと取り除くことができ且つ交換できる、そしてデバイスは容易に再充填できる。これは、薬物送達デバイスを再使用可能にする。
【００４３】
カートリッジ１８が空になった後、取り除き可能で且つ取り付け可能な部分１０は、本体１及びコンパートメント１７から取り出されたからのカートリッジ１８から取り除かれる。近位の位置でピストン１９を含むフルカートリッジ１８が挿入できる前に、第二の出力部材９は、本体１の近位端３の近くその初期の位置にシフトバックする必要がある。第一の出力部材８は、本体１に対して軸方向にシフトされない、従って第二の出力部材９は、第一の出力部材８に相対的にシフトされる。第一の出力部材８と第二の出力部材９の間の連結の故に。例えば、ねじ山２８によって、第二の出力部材９の近位方向３０へのシフトは、ピニオン部材１１及び係合された歯止め部材１２によって可能にされない回転方向への、第一の出力部材８のシフトを伴う。第二の出力部材９のシフトを可能にするために、ピニオン部材１１が両方向に自由に回転するように、歯止め部材１２は、ピニオン部材から係合を解かれる
【００４４】
弾性のあるエレメント１４は、取り除き可能で且つ取り付け可能な部分１０が取り除かれ、そして一方向のギヤがこのように解放されるとき、ピニオン部材との係合から歯止め部材１２を駆動するように供することができる。取り除き可能で且つ取り付け可能な部分１０が取り付けられるとき、弾性のあるエレメント１４は、歯止め部材１２へのその作用を抑制される。取り除き可能で且つ取り付け可能な部分１０が取り付けられるとき、歯止め部材１２が自動的にピニオン部材１１と再係合するように、歯止め部材１２は好ましくはまた、弾性があり又は少なくとも弾性的に取り付けられる。これは、空のカートリッジを取り除いた後、再設定操作が行われるのを可能にする。駆動機構の操作は、図２〜図８を参照して記述されよう。
【００４５】
図２は、初期状態での駆動機構の概略の断面を示す。入力駆動機構と出力部材を連結するギヤが、断面に示されたピニオン部材１１によって概略的に表わされている。取り除き可能で且つ取り付け可能な部分が取り付けられ、そして歯止め部材が、回転を一つの回転方向に制約するピニオン部材１１と係合する。この出発位置において、設定操作は、第一の入力部材６を近位方向に引っ張ることによって行うことができる。
【００４６】
図３は、設定操作の後の図２に記載の断面を示す。第一の入力部材６は、近位方向にシフトされ、そして本体１から突き出る（stick）。第一の入力部材６の運動は、第二の入力部材７、入力スリーブを回転させた。第二の入力部材７をピニオン部材１１と連結するように供されたクラッチ１３は、設定操作中に係合を解かれる。従って、ピニオン部材１１は、第二の入力部材７と一緒に回転しない。従って、出力部材は動かない。図３に示された駆動機構の状態で、設定された用量が、第一の入力部材６を遠位方向にちょっと押すことによって投与できる。この運動はクラッチ１３を係合させる、何故なら第二の入力部材７は、クラッチスプリング２７を圧縮しながら、クラッチスプリング２７の力に抗して、ピニオン部材１１に向かってパスされるからである。クラッチ１３は、歯などの角度の配置によって形成され得る。歯の構造の代わりに、一緒に押される、第二の入力部材７の表面とピニオン部材１１の間に起こる摩擦が、ピニオン部材１１を、回転する第二の入力部材７と係合させるのに充分であり得る。結果として、回転するピニオン部材１１が、第一の出力部材８を回転させる。第一の出力部材８の第二の出力部材９との連結は、第二の出力部材９が遠位方向にシフトするのを引き起こす、このようにしてピストンをプレ設定された用量を排出するように駆動する。
【００４７】
図４は、設定された用量の送達後の図３に記載の断面を示す。駆動機構の状態は、第二の出力部材９が遠位方向に、即ち、図４の左に、少しの距離シフトされていることを除いて、図２に示された初期状態と比較し得る。再び第二の出力部材９を遠位方向に規定された距離だけ動かすことによって、更なる用量が、設定されて送達できる。このプロセスは、カートリッジが空になるまで繰り返すことができる。
【００４８】
図５は、薬物の最後の用量が投与された後の、駆動機構内の第二の出力部材９の位置を示す。取り除き可能で且つ取り付け可能な部分１０を本体１の主要部分から取り除くことによって、弾性のあるエレメント１４が、歯止め部材１２をピニオン部材１１から係合を解くようにされるとき、第一の出力部材８とピニオン部材１１を自由に回転させながら、第二の出力部材９は、近位方向においてその出発位置にシフトできる。第二の入力部材７が回転しないで、従って第一の入力部材６が、本体１に対して静止保持（hold stationary）されるように、クラッチ１３は係合を解かれる。このようにして、図１に記載の出発位置が得られる。
【００４９】
最後の用量のナット２１は、薬物の不充分な量だけがカートリッジに残るとき、又はカートリッジが完全に空のとき、使用者が用量を設定するのを防ぐように供され得る。最後の用量のナット２１は好ましくは、第二の入力部材７とねじ係合にある、図２〜図５で概略的に表示されたねじ山２２によって示された、入力スリーブである。最後の用量のナット２１はさらに、第一の出力部材８と歯車歯係合２３にある、出力スリ−ブである。設定操作の間、最後の用量のナット２１は、入力スリーブ７に沿って、図に示された例の近位方向３０に進む。これは、設定操作の間、クラッチ１３が係合されていない事実による。従って、出力スリーブ８は回転しない、従って、最後の用量のナット２１も回転しない。投与操作の間、最後の用量のナット２１は、入力スリーブ７に相対的に軸方向に進まない、何故なら最後の用量のナット２１は、歯車歯係合２３によって駆動され、入力スリーブ７と同じ回転速度で出力スリーブ８と一緒に回転するからである。ねじ山は、この趣旨で（to this effect）適宜設計される。
【００５０】
この操作概念において、最後の用量のナット２１は、設定操作の間、本体１に対して軸方向に、一つの方向に動かされる、一方、最後の用量のナット２１は、投与操作の間、軸方向に静止状態で留まる。最後の用量のナット２１が、それぞれの設定操作においてシフトされる距離は、最後の用量のナット２１が、最後の用量が排出された後、停止部（stop）に来るように、設計される。この目的のために、駆動機構又は本体は、最後の用量のナット２１の軸方向への更なる運動を阻止するために、停止エレメント２４のような、停止機構を備えることができる。設定操作は、入力スリーブ７を回転させる入力軸６の運動によってのみ行うことができ、従って最後の用量のナット２１は、軸方向にシフトされるので、最後の用量のナット２１の運動を止めることは、入力軸６のシフトを阻止し、従って使用者が更なる用量を設定するのを防ぐ。
【００５１】
図６は、ピニオン部材１１と歯止め部材１２による駆動機構と出力部材の間の連結を示す。歯止め部材１２は、歯のあるピニオン部材１１中にノッチ１５を係合する先端又は端部１６を有するフック又はカンチレバーであるように形成される。弾性のあるエレメント１４は、取り除き可能で且つ取り付け可能な部分１０の上に供された突起エレメントなどによって歯止め部材１２から遠ざけられる。従って歯止め部材１２は、ピニオン部材１１と係合され、そしてピニオン部材１１の回転は、一つの方向にのみ可能にされる。これは、第二の出力部材９を可能にする回転方向であり、出力軸は遠位方向に動かされるが、近位方向に逆戻りされない、ピストンロッドとして機能する。
【００５２】
図７は、別の視野での図６に記載の配置を示す。弾性のあるエレメント１４は、歯止め部材１２の突起するエレメントからの距離に保持されるように示される。従って、歯止め部材１２は、ピニオン部材１１と係合される。これは、弾性的に取り付けられている歯止め部材１２によって達成できる。歯止め部材１２は、例えばプラスチックエレメントであってよく、それは、外部の力が歯止め部材１２にかけられないときに、歯止め部材１２が、歯止め部材１２の端での先端又は端部１６が、ピニオン部材１１の歯の間のノッチ１５を係合する位置を占めるような方法で、駆動機構又は本体に取り付けられる。
【００５３】
図８は、取り除き可能で且つ取り付け可能な部分１０が、本体１から取り除かれたとき、弾性のあるエレメント１４がそのテンションを自由に解放し、そして歯止め部材１２の突起エレメントと接触するように、図７に記載の図を示す。弾性のあるエレメント１４は、次いで、そのピニオン部材１１との係合から歯止め部材１２を押す。これは、第二の出力部材９を近位方向にシフトされるのを可能にし、出力スリーブ８とピニオン部材１１を、歯止め部材１２のピニオン部材１１からの解放によって可能にされる、反対の回転方向に回転させる。
【００５４】
駆動機構は、再使用可能なデバイス、特に注射ペンの広範囲に使用できる、そして容易なハンドリングと容易な再充填を可能にする。
【符号の説明】
【００５５】
１    本体
２    遠位端
３    近位端
４    第一の軸
５    第二の軸
６    第一の入力部材
７    第２の入力部材
８    第１の出力部材
９    第２の出力部材
１０  取り除き及び取り付け可能な部分
１１  ピニオン部材
１２  歯止め部材
１３  クラッチ
１４  弾性のあるエレメント
１５  ノッチ
１６  遠位端４又は遠位端５
１７  コンパートメント
１８  カートリッジ
１９  ピストン
２０  遠位方向
２１  最後の用量のナット
２２  ねじ山
２３  歯車歯係合
２４  停止エレメント
２５  軸方向の溝及び軌道
２６  グリップ
２７  クラッチスプリング
２８  ねじ山
２９  ねじ山
３０  近位方向
【図１】
2013506447.tif 000003
【図２】
2013506447.tif 000004
【図３】
2013506447.tif 000005
【図４】
2013506447.tif 000006
【図５】
2013506447.tif 000007
【図６】
2013506447.tif 000008
【図７】
2013506447.tif 000009
【図８】
2013506447.tif 000010
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
−  第一の軸（４）の方向に間隔をおいて配置された、遠位端（２）及び近位端（３）を有する本体（１）、
−  本体の中に配置され、そして、第一の軸の周りで本体に相対的に回転可能である第一の出力部材（８）、
−  本体の中に第一の軸に沿って配置され、そして、第一の軸に沿って本体に相対的に可動の第二の出力部材（９）、
−  回転連結されている、第一の出力部材（８）及び第二の出力部材（９）、及び
−  第一の出力部材の回転を生じるように備えられている駆動機構（６，７）
を含んでなる、薬物送達デバイス用の駆動機構において、
−  該駆動機構が、
本体から取り除き可能で且つ取り付け可能である取り除き可能で且つ取り付け可能な部分（１０）、第一の出力部材は、該部分が本体に取り付けられているとき、該駆動機構と一方向に回転連結されていて、第一の出力部材が一方向に回転可能である、
−  弾性のあるエレメント（１４）、
−  該部分が本体（１）に取り付けられているとき、弾性のあるエレメントを抑制する取り除き可能で且つ取り付け可能な部分（１０）、
−  取り除き可能で且つ取り付け可能な部分が本体から取り除かれているとき、一方向の回転連結を取り除き、第一の出力部材（８）が反対方向に回転可能である弾性のあるエレメントを更に含んでなることを特徴とする該駆動機構。
【請求項２】
第一の出力部材（８）が出力スリーブであり、第二の出力部材（９）が出力シャフトである、請求項１に記載の駆動機構。
【請求項３】
取り除き可能で且つ取り付け可能な部分（１０）が本体（１）の遠位端（２）に備えられたカートリッジホルダーである、請求項１又は２に記載の駆動機構。
【請求項４】
第一の出力部材（８）及び駆動機構（６，７）が、回転連結されるピニオン部材（１１）を更に含んでなる、請求項１〜３の何れか１項に記載の駆動機構。
【請求項５】
取り除き可能で且つ取り付け可能な部分（１０）が本体（１）に取り付けられているとき、一方向のみに第一の出力部材（８）の回転を可能にし、そして、取り除き可能で且つ取り付け可能な部分が本体から取り除かれているとき、第一の出力部材の回転を可能にする歯止め部材（１３）を更に含んでなる、請求項４に記載の駆動機構。
【請求項６】
ノッチ（１５）を有するピニオン部材（１１）、
ヒンジ舌、又は、弾力のある若しくは弾力のあるように取り付けられたカンチレバーである歯止め（１２）、
ノッチを係合し、一方向へのピニオン部材の回転を防ぐ、先端又は端部（１６）を有する歯止め部材、そして、
歯止め部材が、取り除き可能で且つ取り付け可能な部分（１０）が本体（１）から取り除かれるとき、ノッチから恒久的に係合を解かれる、
を更に含んでなる、請求項４又は５に記載の駆動機構。
【請求項７】
−  第二の軸（５）に沿った軸（４）に平行な本体（１）内に配置された第一の入力部材（６）、第一の入力部材は第二の軸に沿って本体に相対的に可動であり、
−  本体内に配置された第二の入力部材（７）、第二の入力部材は本体に相対的に第二の軸の周りで回転可能であり、
−  第一の入力部材（６）及び第二の入力部材（７）はねじ山（２９）によって連結されている、
−  荷重が遠位方向（２０）で第二の入力部材をかかるとき、ピニオン部材（１１）で第二の入力部材を回転ロックし、そして荷重が遠位方向で第二の入力部材をかからないとき、ピニオン部材（１１）で第二の入力部材を回転ロックしないクラッチ（１３）
を更に含んでなる、請求項４〜６の何れか１項に記載の駆動機構。
【請求項８】
遠位方向（２０）への第一の入力部材（６）のシフトにより、第二の入力部材（７）の回転が生じ、
第二の入力部材の回転により、第一の出力部材（８）の回転が生じ、及び
第一の出力部材の回転が遠位方向（２０）への第二の出力部材（９）のシフトを生じる、
請求項７に記載の駆動機構。
【請求項９】
設定操作が、第一の入力部材（６）を近位方向（３０）にシフトさせることによって行われ、一方第二の入力部材（７）がピニオン部材（１１）でロックされていない、請求項７又は８に記載の駆動機構。
【請求項１０】
再設定操作が、取り除き可能で且つ取り付け可能な部分（１０）が本体（１）から取り除かれた後に、第二の出力部材（９）を近位方向にシフトさせることによって行われる、請求項７〜９の何れか１項に記載の駆動機構。
【請求項１１】
−  本体（１）の中に配置された、第二の軸（５）に沿って本体に相対的に可動である最後の用量のナット（２１）、
−  第二のねじ山（２２）によって第二の入力部材（７）に連結されていて、そして第一の出力部材（８）と回転連結されている最後の用量のナット、
−  第一の入力部材（６）が近位方向にシフトされるとき、第二の入力部材がピニオン部材（１１）でロックされてなく、それで第一の出力部材にロックされてなく、これにより第二のねじ山により遠位又は近位方向への最後の用量のナットの可動を生じるので、最後の用量のナットと相対的に回転する第二の入力部材、及び
−  最後の用量のナットの運動を、遠位又は近位の方向に制限する第二の入力部材の停止エレメント（２４）
を更に含んでなる、請求項７〜１０の何れか１項に記載の駆動機構。
【請求項１２】
再設定操作が、第二の出力部材（９）を近位方向（３０）にシフトさせることによって行われ、第一の出力部材（８）が第二の出力部材の回転連結に従って回転し、
第一の出力部材の回転が最後の用量のナット（２１）の回転を生じ、及び
第二の入力部材（７）と相対的な最後の用量のナットの回転が遠位又は近位方向への最後の用量のナットの可動を生じる、請求項１１に記載の駆動機構。
【請求項１３】
第一の出力部材（８）及び第二の出力部材（９）が、ねじ山（２８）によって連結され、
出力部材を連結するねじ山（２８）及び第二のねじ山（２２）が、ピッチを備え、これらピッチは、最後の用量のナット（２１）と第一の出力部材（８）との回転連結に、再設定操作中に最後の用量のナットの可動を、第二の入力部材の停止エレメント（２４）から一定の距離を有する出発位置に生じるような方法で、適合されている、請求項１２に記載の駆動機構。
【請求項１４】
軸（４）に沿って第二の出力部材（９）のシフトを可能とし、第二の出力部材（９）を本体（１）に回転ロックする本体（１）の溝及び軌道（２５）
を更に含んでなる、請求項１〜１３の何れか１項に記載の駆動機構。
【国際調査報告】
2013506447.tif 000011
2013506447.tif 000012